(57)【特許請求の範囲】
【請求項１】
ヘッドパイプに支持されるカウリング装置において、ヘッドパイプに固定されるブラケットと、ブラケット前面に立設されたパイプ状のゾーパナと、ゾーパナ先端に設けられたステージ支持材と、ステージ支持材に接合されるステージと、ステージに支持されるカウリングを具備し、ヘッドパイプに設けられた係止突起が干渉しないように、ブラケットのゾーパナとの接合部およびゾーパナの下端部に溝状切欠部を有することを特徴とする自動二輪車用カウリング装置。  
【請求項２】
ステージ下面にステージ支持材と接合するためのボルトがステージ上面に出ないように埋め込まれ、ステージ支持材にボルトが貫通する穴が溝状に設けられたことを特徴とする請求項１記載の自動二輪車用カウリング装置。
【請求項３】
ステージ下に、ゾーパナが貫通するための穴を設けた架台と、架台上に配置されたスピーカと、アンプと、入力部と、操作部を有するオーディオシステムを設けたことを特徴とする請求項１または請求項２に記載の自動二輪車用カウリング装置。
【請求項４】
ゾーパナの下端部が二重パイプ構造を有することを特徴とする請求項１〜３のいずれか１項に記載の自動二輪車用カウリング装置。
【発明の詳細な説明】
【技術分野】
【０００１】
本発明は、自動二輪車に装着されるカウリング装置に関するものである。
【背景技術】
【０００２】
自動二輪車に後付されるカウリング装置は、一般的に図１に示すようにフレーム前部のヘッドパイプ１にブラケット２を介して取り付けられる。そして、このブラケットは通常ヘッドパイプ前部に密着するようにＵ字ボルトを用いて固定される。ところで、一部の自動二輪車には、生産ラインの共通化により、カウリング装置が製造当初から装備されていない車種にも、図２に示すように、ヘッドパイプ１にカウリング装置支持のためのボルト穴の開いた係止突起４が付加されている（特許文献１参照）。このため、後から好みのカウリング装置を取り付ける場合には、ヘッドパイプ１にブラケット２を密着させるために、この係止突起４を切除する必要がある。
【０００３】
また、ヘッドパイプにブラケットを介して支持されたゾーパナ先端のステージ支持材にステージを取り付けるに当り、ステージ上部からボルトを貫通させてステージ支持材にステージを固定するのが一般的である。しかし、これではステージ上部にボルトの頭部が露出して愛車の美観を損なう結果となる。
【０００４】
さらに、近年自動二輪車においても運転をしながら、音楽を楽しみたいという要望が増加している。ところが、一般の自動二輪車においては、オーディオシステムを搭載するスペースがなく、一部スクータータイプの自動二輪車において装備されているだけである（特許文献２参照）。スクータータイプ以外の自動二輪車においては、ハンドル上部にスピーカーを取り付けることも考えられるが、これでは音が発散して、音質が極めて低下するという問題がある。
【先行技術文献】
【特許文献】
【０００５】
【特許文献１】実開平３−１０３８９４号広報
【特許文献２】特開２００６−１０３６０１号広報
【発明の概要】
【発明が解決しようとする課題】
【０００６】
上述のように、後付けで自動二輪車にカウリング装置を装着する場合には、ヘッドパイプの係止突起を切除する必要があり、自己の自動二輪車に愛着があるオーナーは、係止突起を切除することで原形を維持できなくなることを嫌う場合が多い。また、ステージ上に露出したボルトが愛車の美観を損なうという問題もある。そこで、本発明においては、自動二輪車にカウリングを後付する場合に、自動二輪車の原形を維持し、美観を損なうことがない自動二輪車用カウリング装置を提供することを課題としている。
【課題を解決するための手段】
【０００７】
本発明は、自動二輪車のカウリング装置をヘッドパイプに取り付けるためのブラケット及びブラケットに立設されるパイプ状のゾーパナ下部に、ヘッドパイプに付加された係止突起を避けるための溝状の切り欠きを有することを特徴とする。
【０００８】
すなわち、本発明は、ヘッドパイプに支持されるカウリング装置において、ヘッドパイプに固定されるブラケットと、ブラケット前面に立設されたパイプ状のゾーパナと、ゾーパナ先端に設けられたステージ支持材と、ステージ支持材に接合されるステージと、ステージに支持されるカウリングを具備し、ヘッドパイプに設けられた係止突起が干渉しないように、ブラケットのゾーパナとの接合部およびゾーパナの下端部に溝状切欠部を有することを特徴とする。
【０００９】
加えて、ゾーパナの下端部が二重パイプ構造を有することを特徴とする。
【００１０】
さらに本発明の特徴とするところは、上記カウリング装置において、ステージ下面にステージ支持材と接合するためのボルトがステージ上面に出ないように埋め込まれ、ステージ支持材にボルトが貫通する穴が溝状に設けられた点にある。
【００１１】
さらに本発明の特徴とするところは、上記カウリング装置において、ステージ下に、ゾーパナが貫通するための穴を設けた架台と、架台上に配置されたスピーカーと、アンプと、音源入力部と、操作部とを有するオーディオシステムを設けたことを特徴とする。     
【００１２】
そしてこのオーディオシステムは盗難防止のために振動感知センサーを具備する。
【発明の効果】
【００１３】
本発明によれば、自動二輪車にカウリング装置を後付けする場合にも、ヘッドパイプの係止突起を避けるための溝状切欠部がゾーパナ下端部とブラケットのゾーパナとの接合部にあるので、係止突起を切除する必要がない。
【００１４】
さらに、ゾーパナの下端部が二重パイプ構造を有するので、ブラケットとの接合強度とゾーパナ自体の曲げ強度が向上する。
【００１５】
そして、ステージ下面にステージ支持材と接合するためのボルトが埋め込まれているので、ボルト頭部がステージ上面に現れず、美観を損なうことがない。さらに、ステージ支持材にボルトが貫通する穴が溝状に設けられているので、カウリングの取付位置の調整が容易にできる。
【００１６】
また、ステージ下にスピーカーを含めたオーディオシステムを具備するので、音が発散することもなく、運転操作に支障することもない。
【図面の簡単な説明】
【００１７】
【図１】ブラケットのヘッドパイプへの取付状態を示した構造図である。
【図２】ヘッドパイプの係止突起の一例を示す構造図である。
【図３】本発明のブラケットを示す斜視図である。
【図４】本発明のブラケットに設けられた溝状切欠部を示す底面図である。
【図５】本発明のカウリング装置を示す斜視図である。（実施例１）
【図６】本発明のステージに埋め込まれたアンカーボルトを示す断面図である。
【発明を実施するための形態】
【００１８】
本発明のカウリング装置の実施例を以下に示す。
【００１９】
図５は、本発明の１実施例の斜視図である。この実施例のカウリング装置は、ブラケット２と、これに接合されたゾーパナ３と、ゾーパナ３のパイプ内部にパイプの一部が収容されるステージ支持材５と、ステージ６と、ステージに支持されるカウリング７とから構成される。
【００２０】
ブラケット２とゾーパナ３は、図３、図４に示すようにゾーパナ３の下端部とブラケット２の接合部にヘッドパイプの係止突起を避けて、ヘッドパイプとブラケットが密着するように、溝状の切欠部４がある。切欠部４は係止突起が避けられるのであれば形状に限定はない。そして、このブラケット２は、Ｕボルト９により、ヘッドパイプ１に固定される。また、図には示されていないが、ゾーパナ３の下端部を二重パイプ構造とすることもでき、この場合は、ブラケット２との接合強度とゾーパナ３自体の曲げ強度が向上する。
【００２１】
ステージ支持材５の下部パイプは、ゾーパナの内径より少し小さい外径を有し、その一部がゾーパナに収容され、ボルト穴に貫通するボルトによって固定される。なお、高さ調整のためにボルト穴は複数設けられている。
【００２２】
ステージ６には、ステージ支持材５と係合するためのアンカーボルトが埋め込まれている。図６にアンカーボルト付近のステージの断面図を示す。ステージは上面からゲルコート（白）１１、ゲルコート（黒）１２、グラスファイバーマット（＃６００）１３、グラスファイバーマット（＃６００）１３、アンカーボルト１０、グラスファイバーマット（＃６００）１３、クロスマット（＃２００）１４の積層構造となっている。アンカーボルト１０は、グラスファイバーマット（＃６００）１３の間に埋め込まれる状態となっており、これによりステージに固定されている。したがって、アンカーボルト１０はステージ１１を貫通する必要がなく、ステージ上面の美観が保たれる。
【００２３】
図５のオーディオシステム８は、中央付近にゾーパナ３が貫通する穴を有した樋状の架台にスピーカーとアンプと、音源入力部と、操作部が設けられている。架台の穴をゾーパナ３が貫通することで、ステージ６の下面に密着するようにオーディオシステム８を取り付けることができる。ステージ下にスピーカーがあることにより、カウリングが一種のスピーカーキャビネットの役割を果たし、音質に優れている。また、ハンドル付近にオーディオシステムを取り付けることがないので、運転操作に支障することもない。さらに、オーディオシステム８は、盗難防止用の振動感知センサーを備える。
【産業上の利用可能性】
【００２４】
本発明によれば、自動二輪車本体の加工が少なく、美観を損なうことがないので、自動二輪車にカウリングを後付けする場合に好適である。
【符号の説明】
【００２５】
１ ヘッドパイプ
２ ブラケット
３ ゾーパナ
４ 溝状切欠部
５ ステージ支持材
６ ステージ
７ カウリング
８ オーディオシステム
９ Ｕボルト
１０ アンカーボルト
１１ ゲルコート（白）
１２ ゲルコート（黒）
１３ グラスファイバーマット（＃６００）
１４ クロスマット（＃２００）
【図１】
0005522704.tif 000002
【図２】
0005522704.tif 000003
【図３】
0005522704.tif 000004
【図４】
0005522704.tif 000005
【図５】
0005522704.tif 000006
【図６】
0005522704.tif 000007